(57)【要約】本発明は、バッテリーを収容する少なくとも１つの区画を含むバッテリーホルダーに関し、該区画は、第１の側壁と、第２の側壁と、背面壁と、基底部と、バッテリーを固定する係止部とを含む。
2021535578.tif 000002
【特許請求の範囲】
【請求項１】
バッテリーを受け入れる少なくとも１つの区画を含むバッテリーホルダーであって、前記区画は、第１の側壁、第２の側壁、背面壁、基底部、及び前記バッテリーを固定するための係止部を含む、バッテリーホルダー。
【請求項２】
前記第１の側壁又は前記第２の側壁のうちの少なくとも１つは、前記バッテリーと係合するためのリップ部を含む、請求項１に記載のホルダー。
【請求項３】
前記係止部は、前記区画の前記基底部において前記背面壁に対向して位置する、請求項２に記載のホルダー。
【請求項４】
前記係止部は、前記第１の側壁又は前記第２の側壁の少なくとも一方に位置する、請求項２に記載のホルダー。
【請求項５】
前記少なくとも１つの区画は、前記バッテリーの雄型部材に結合するように形成された雌型部材である、請求項１〜４のうちいずれか１項に記載のホルダー。
【発明の詳細な説明】
【技術分野】
【０００１】
本発明は、手持ち式電動工具用バッテリーホルダーに関する。
【背景技術】
【０００２】
ドリル、グラインダー、サンダー（ｓａｎｄｅｒ）のようなバッテリー駆動の手持ち式工具（ｈａｎｄ  ｔｏｏｌ）の普及は、従来から増え続けている。当初、バッテリー駆動の工具は動力を欠いており、小さな家庭用の修繕の大工仕事のみに適していた。しかし、このような工具はもはやそのように限定されるものではなく、専門家のニーズを満たすのに十分な動力を供給する。
【０００３】
バッテリー駆動の手持ち式工具は、今や職人にとって好まれる選択肢となるだろう。作業現場でのバッテリー駆動装置の使用は、職人（ｔｒａｄｅｓｐｅｒｓｏｎ）にとってより大きな柔軟性と効率性を提供する。もはや、電源が必要で安全上の危険がある長い電源コードを使用する必要がない。
【０００４】
バッテリー駆動の手持ち式工具の電力は、専門の職人のニーズを満たすのに十分であるが、バッテリー寿命は無制限ではない。バッテリーの再充電が必要になる前に、工具を作動させることができる時間は限られている。
【０００５】
その結果、職人は通常、同じ工具での使用に適した複数のバッテリーを持つことになる。実際、同じバッテリーは、多数の工具に適している可能性がある。工具メーカーは、職人が複数の異なる工具を必要とすることが多いが、一度に１つの工具しか使用できないことを認識していた。そこで、メーカーはバッテリー交換式の各種工具を設計した。このようにして、職人は、まず、たとえば丸のこを使用し、職人が丸のこで仕上げてドリルが必要になったときに、バッテリーを丸のこから取り外してドリルに取り付けることができた。
【０００６】
当初、これはある程度の柔軟性を提供した。しかし、職人が複数のバッテリー・パック（ｂａｔｔｅｒｙ  ｐａｃｋ）を保管することを助長した。１つのバッテリー・パックが消耗した現場では、職人はフル充電されたバッテリー・パックと交換するだけでよいであろう。場合によっては、使い切ったバッテリーパックは現場で再充電されるであろう。他の場合には、職人は夜間にバッテリーを再充電することになる。
【０００７】
複数のバッテリー・パックを所有することの障害又は制約は、それらを保管する必要性である。職人は、特定の期間に少数の工具しか使用しないが、それでも多くのバッテリーを使い回す必要があるため、個々の工具に多数のバッテリーを保管することは現実的ではない。同様に、バッテリーを充電器に保管することは、一般的に幾つかの充電器が一度に１つのバッテリーのみを充電又は保持し、複数のバッテリー用に設計された充電ステーションは高価で、かさばり、輸送が困難な場合があるため、便利ではない。
【０００８】
場合によっては、複数のバッテリーが単に作業台の上や工具バッグの中に放置される。これにより、バッテリーパックが損傷する危険性が高まり、バッテリーの性能及び／又は寿命が低下する可能性がある。
【０００９】
職人が、現在存在するバッテリーの損傷又は損失のようなリスクなしに、十分なバッテリー電力を有することを可能にする代替手段が必要である。
【発明の概要】
【００１０】
幅広い態様において、少なくとも１つの電動工具のバッテリーを保持するバッテリーホルダーが設けられている。
【００１１】
第１の態様では、バッテリーを受け入れる少なくとも１つの区画を含むバッテリーホルダーを備えており、前記区画は、第１の側壁、第２の側壁、背面壁、基底部、及び前記バッテリーを固定するための係止部を含み、
好ましくは、第１の側壁又は第２の側壁のうちの少なくとも１つは、バッテリーと係合するリップ部を含む。このリップ部は、バッテリーを所定の位置にスライドさせるのにも役立つ。
【００１２】
係止部は、区画の基底部の背面壁に対向して配置することができる。或いは、係止部は、第１の側壁又は第２の側壁の少なくとも一方に位置していてもよい。この場合、側壁のリップ部は、係止部を備えてもよい。
【００１３】
係止部の位置は、収納するバッテリーの種類（ｂｒａｎｄ）を反映する。
【００１４】
別の表現では、少なくとも１つの区画は、格納されるバッテリーの雄型部材に結合するように形成された雌型部材である。
【００１５】
次に、本発明の例示的な実施形態を、添付図面を参照して説明する。本発明の更なる特徴及び利点も、添付の説明から明らかになるであろう。
【図面の簡単な説明】
【００１６】
【図１】図１は、本発明の一実施形態に係るバッテリーホルダーを示す。
【図２ａ】図２ａは、図１のバッテリーホルダーの代替図を示す。
【図２ｂ】図２ｂは、図１のバッテリーホルダーの代替図を示す。
【図２ｃ】図２ｃは、図１のバッテリーホルダーの代替図を示す。
【図３ａ】図３ａは、バッテリーホルダーの代替の実施形態を示す。
【図３ｂ】図３ｂは、バッテリーホルダーの代替の実施形態を示す。
【図３ｃ】図３ｃは、バッテリーホルダーの代替の実施形態を示す。
【図３ｄ】図３ｄは、バッテリーホルダーの代替の実施形態を示す。
【図３ｅ】図３ｅは、バッテリーホルダーの代替の実施形態を示す。
【図３ｆ】図３ｆは、バッテリーホルダーの代替の実施形態を示す。
【図３ｇ】図３ｇは、バッテリーホルダーの代替の実施形態を示す。
【図４ａ】図４ａは、実施例を示す。
【図４ｂ】図４ｂは、実施例を示す。
【発明を実施するための形態】
【００１７】
以下の説明は、当業者が本発明を製造し、利用できるようにするために提示され、特定のアプリケーション及びその要件という文脈において提供される。開示された実施形態に対する種々の変更は、当業者にとって容易に理解できるものであり、本明細書に定義される一般的な原理は、本発明の精神を逸脱せずに行う他の実施形態及び応用に適用することができる。従って、本発明は、以下に示される実施形態に限定されるものではなく、本明細書に開示される原理及び特徴と一致する最も広い範囲に従うことが意図される。
【００１８】
本発明は、複数のバッテリーパックを一度に保持することができるバッテリーホルダーを提供する。理想的には、前記ホルダーは、バッテリーパックの安全な保管を最も確実にするように、特定の種類のバッテリーパックに適合するように構成されるであろう。
【００１９】
図１を参照すると、そのようなバッテリーホルダーの一例が示されている。図１のホルダーは、マキタ（Ｍａｋｉｔａ）ブランドのバッテリーパックを特に適応して収容するように設計されている。図１のホルダーは４個のバッテリーパックを保管するのに適していることが分かる。代替の実施形態は、必要に応じて、より少ないか又はより多くのバッテリーパックを保管してもよいことが理解されよう。例えば、代替的な実施形態は、６つのバッテリーパックを格納することができる。
【００２０】
バッテリーホルダー１は、複数のバッテリー区画２を備えている。各バッテリー区画２は、バッテリーを受け入れる凹部を含む。好ましくは、凹部は、特定のブランドのバッテリーを収容するように設計される。
【００２１】
各区画２は、２つの囲い込んだ側壁７と、後壁８とを備えている。好ましくは、側壁７及び後壁８の高さは、バッテリーを所定の位置に導くために約１４ｍｍ（マキタモデルの場合）である。バッテリーをホルダー１に入れるための開放側１０が設けられている。更に、バッテリーの所定の位置への誘導を補助し、更にバッテリーを所定の位置に保持するのを補助するために、リップ部６が、側壁７の一つ又はそれぞれの一部に沿って含まれてもよい。各区画２の開放側１０はホルダー１の先端４上にあることが好ましい。
【００２２】
各区画２は、係止部３又は係止機構を含むべきである。この係止部３は、格納される特定のバッテリーに適合するものでなければならない。例えば、マキタブランドのバッテリーを受け入れるように構成された区画は、理想的には、３５ｍｍ×１４ｍｍ×５ｍｍの凹み係止部を有する。この場合もまた、マキタブランドのバッテリーの場合、係止部は、区画２の開放側１０に沿って、又はその周りに位置する。
【００２３】
好ましい配置では、ホルダー１は、長さが約３１８ｍｍであり、隣接する区画２の側壁７の間の間隔は約２４ｍｍである。なお、ホルダー１の高さは１０４ｍｍ前後であってもよい。これにより、各区画２が収容されるための十分なスペースが提供され、より大きな本体を作成するために必要な材料が過度に必要とされることはない。しかし、いくつかの用途は、各区画２の後壁８とホルダー１の上端縁９との間に余分な空間を含み得ることが理解されるであろう。これは、例えば、ブランド名又は他の情報をホルダー１の面に含めたい場合に当てはまる。
【００２４】
ホルダーの好ましい配置の長さは、３１８ｍｍから３３１．５ｍｍの間である。高さの範囲は２２．５〜２７ｍｍ、幅は９０ｍｍ〜１０４ｍｍである。
【００２５】
マキタブランドのバッテリーに適した区画の場合、好ましい寸法は、約５６ｍｍ×７１ｍｍ×１４ｍｍであろう。
【００２６】
また、好ましい実施形態は、ホルダー１の取り付けを容易にするために、ねじ穴５を備えている。好ましくは、ねじ穴５は、ねじ頭部がホルダー１の表面と面一に、或いはその下方に嵌めこむことができ、それによってホルダーへの挿入中にバッテリーが損傷するリスクを低減する。例えば、ねじ穴は、：
・頭部の直径用の皿穴の幅  １０ｍｍ
・頭部の高さ用の皿穴の深さ  ２．５ｍｍ
・ねじ径の穴幅  ５．５ｍｍ
【００２７】
ホルダー１の裏側（図示せず）は、強度を備え、歪みなしに射出成形が成功するように設計されたリブを含むことができる。
【００２８】
図４（ａ）を参照すると、マキタブランドのバッテリーに適した１つの配置であることが分かる。好ましい寸法は、以下の通りである：
Ａ．係止機構サイズ１５ｍｍ  ｘ  ３４ｍｍ  ｘ  ５．５ｍｍ、角度２０度
Ｂ．後部ねじ取り付け穴サイズ  ５．５ｍｍ  皿穴部１０ｍｍは、規格（ｇａｕｇｅ）８及び規格１０のねじに適合する。背面からの距離  ２３ｍｍ
Ｃ．前面ねじ取付穴サイズ５．５ｍｍ  皿穴部１０ｍｍは、規格８及び１０のねじに適合する。前面からの距離  ３４ｍｍ
Ｄ．側壁高さ２７ｍｍ  長さ１０４ｍｍ角度６１度
Ｅ．前側下部長さ１４ｍｍ  高さ８ｍｍ
Ｆ．区画間の距離２４ｍｍ
Ｇ．バッテリー係止部  幅５６ｍｍ  長さ８１ｍｍ  高さ１５ｍｍ
Ｈ．全長３１８ｍｍ
Ｉ．内径  ８．１２５
Ｊ．外径  ５．２６０
【００２９】
別の構成では、図４ｂを参照すると、ボッシュブランドのバッテリーに適したホルダーであること分かる。好ましい寸法は、以下の通りである：
Ｋ．係止機構サイズ２３．５ｍｍ  ｘ  １３ｍｍ  ｘ  ４ｍｍ
Ｌ．後部ねじ取り付け穴サイズ５．５ｍｍ皿穴部１０ｍｍは、規格８及び規格１０のねじに適合する。背面からの距離  ２４ｍｍ
Ｍ．前面ねじ取付穴サイズ５．５ｍｍ  皿穴部１０ｍｍは、規格８及び１０に適合する。前面からの距離４６ｍｍ
Ｎ．側壁高さ２２．５ｍｍ長さ１００ｍｍ
Ｏ．前側下部長さ３２０ｍｍ  高さ１０ｍｍ
Ｐ．バッテリー間距離２８ｍｍ
Ｑ．バッテリー係止部  幅５２ｍｍ  長さ６８ｍｍ  高さ１０ｍｍ
Ｒ．前長３２０ｍｍ
【００３０】
より具体的には、Ｂｏｓｃｈブランドのバッテリーの場合、４つのバッテリーを保持できるバッテリーホルダーの寸法は、以下の通りにすることができる：
【００３１】
【表１】
2021535578.tif 000003
【００３２】
バッテリーホルダーは射出成形により、１つの単位として製造できる。これにより、可動部品や取り外し可能な部品がなくても、単一の製品が得られる。単一の部品であれば、構成要素が時間の経過とともに失われることがないという利点がある。さらに、可動部品を有さないことは、破損のリスクを低減することによって製品の寿命を改善するはずである。つまり、可動部は、破損を生じやすい。
【００３３】
幾つかの配置では、可動部品が含まれることがある。例えば、バッテリーパックを所定の位置にさらに制限するために、追加の係止機構を含むことができる。これは、ホルダーが非常に粗雑な地形を横断する移動車両に搭載されている場合に望まれることがある。しかし、ほとんどの場合、係止部で十分であることが予想される。
【００３４】
現在のところ、ホルダーをＡＢＳ（アクリロニトリルブタジエンスチレン）樹脂から作ることが好ましい。これは、強度と耐熱性がありながら軽量であるためである。代替材料は、ポリプロピレン、ナイロン、ポリカーボネート及びポリスチレン又は種々のガラス充填材料を含むことができる。
【００３５】
図１に見られるような線形の配置が好ましいと思われる。これにより、様々な場所に取り付けることができる一連のバッテリーが提供されるであろう。しかしながら、代替の構成として、例えば、２つずつ、バッテリーを格子状に配置することができる。これは、図１の実質的に長方形のホルダーとは対照的に、実質的に正方形のホルダーを形成するであろう。場合によっては、ホルダーが保持される場所のため、グリッドの配置が好ましいことがある。
【００３６】
ほとんどのアプリケーションでは、それぞれのバッテリーが同じように整列するようにホルダーが構成されると予想される。図１の場合、係止機構は先端に沿って配置されている。しかしながら、他の実施形態は、バッテリー区画を互いに逆方向に整列してもよい。これは、例えば、両側から利用される作業台の途中において、ホルダーが取り付けられる場合に適していると思われる。
【００３７】
全部ではないが、ほとんどの電動工具のバッテリーは、サイズ、形状、接続機構が異なる。これに対応するために、本発明のそれぞれの実施形態は、様々な製造業者のバッテリー（例えば、マキタ、ミルウォーキー、デウォルト、ボッシュ及びＡＥＧ）のそれぞれに適合するように構成される必要がある。
【００３８】
本発明のバッテリーホルダー１は、職人が同一メーカーの複数のバッテリーを同時に保管できるように設計されている。いくつかの実施形態では、異なる製造業者のバッテリーを保管するように決めることができる。これは、例えば、学生が自らのバッテリーを持ち込むことができる授業又は訓練環境において適していると思われる。しかしながら、大多数の場合において、ホルダーがバッテリーの単一のブランド／デザインに適していることが望まれるであろうと予想される。
【００３９】
各バッテリーホルダーは、バッテリーの係止機構を利用するように設計されている。つまり、バッテリーをどの方向にも取り付けることができ、バッテリーが脱落しないようにする必要がある。
【００４０】
バッテリーホルダーは、トレーラー、バン、物置、車庫、工具店、農場及び職業専門学校のような任意の平坦な表面に取り付けることができる。ホルダーは、例えば、ねじを用いて、任意の適切な手段によって取り付けることができる。或いは、幾つかの配置では、粘着性パッド（又は単に接着剤）を使用して、ホルダーを表面に接合することができる。
【００４１】
本発明のバッテリーホルダーは、複数のバッテリーの簡易な保管場所を提供する。ホルダーは組織を改善し、時間を節約し、貴重な資産を紛失や損傷から守る。
【００４２】
「一実施例」又は「一実施例」への本明細書全体を通しての基準とは、実施例に関連して記載された特定の特性、構造又は特性が本発明の少なくとも一実施例に含まれることを意味し、従って、本明細書全体を通して、「一実施例において」又は「様々な場所において」の語句の外観は、必ずしも全て同一実施例を基準しているとは限らない。
【００４３】
さらに、特定の特徴、構造、又は特性は、１つ又は複数の組み合わせで任意の適切な方法で組み合わせることができる。当業者であれば、上述したものとは異なる方法で本発明を実施することができ、その精神及び範囲から逸脱することなくバリエーションを生成できることは理解されるであろう。
【００４４】
本明細書における文書、装置、行為又は知識の任意の議論は、本発明の背景状況を説明するために含まれる。材料のいずれかが、本明細書が関連する特許出願の出願日上又は出願日前に、関連技術における従来技術ベースの一部又は技術常識を形成していると認めるものであってはならない。
【図１】
2021535578.tif 000004
【図２ａ】
2021535578.tif 000005
【図２ｂ】
2021535578.tif 000006
【図２ｃ】
2021535578.tif 000007
【図３ａ】
2021535578.tif 000008
【図３ｂ】
2021535578.tif 000009
【図３ｃ】
2021535578.tif 000010
【図３ｄ】
2021535578.tif 000011
【図３ｅ】
2021535578.tif 000012
【図３ｆ】
2021535578.tif 000013
【図３ｇ】
2021535578.tif 000014
【図４ａ】
2021535578.tif 000015
【図４ｂ】
2021535578.tif 000016
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
バッテリーを受け入れる少なくとも１つの区画を含む電動工具用バッテリーホルダーであって、前記区画は、第１の側壁、第２の側壁、背面壁、基底部、及び前記バッテリーを固定するための係止部を含み、前記係止部は前記基底部上に設けられる、電動工具用バッテリーホルダー。
【請求項２】
バッテリーを受け入れる少なくとも１つの区画を含む電動工具用バッテリーホルダーであって、前記区画は、第１の側壁、第２の側壁、背面壁、基底部、及び前記バッテリーを固定するための係止部を含み、前記バッテリーホルダーの長さが３１８ｍｍ〜３３１．５ｍｍの間であり、高さが２２．５ｍｍ〜２７ｍｍの間であり、幅が９０ｍｍ〜１０４ｍｍの間である、電動工具用バッテリーホルダー。
【請求項３】
前記第１の側壁又は前記第２の側壁のうちの少なくとも１つは、前記バッテリーと係合するためのリップ部を含む、請求項１又は２に記載のホルダー。
【請求項４】
前記係止部は、前記区画の前記基底部において前記背面壁に対向して位置する、請求項１〜３のうちいずれか１項に記載のホルダー。
【請求項５】
前記係止部は、前記第１の側壁又は前記第２の側壁の少なくとも一方に位置する、請求項２に記載のホルダー。
【請求項６】
前記少なくとも１つの区画は、前記バッテリーの雄型部材に結合するように形成された雌型部材である、請求項１〜５のうちいずれか１項に記載のホルダー。
【国際調査報告】
2021535578.tif 000017
2021535578.tif 000018
2021535578.tif 000019